(57)【要約】【課題】紙片等を起立保持させるための紙片スタンドに関わり、特に紙片の押圧部材にゴルフボール等を用い、使用者の好みに応じて挿脱交換を自在に行うことを課題とする。【解決手段】本発明の好ましい実施形態としては、基板上、正面向きで湾曲面が形成されるとともに後方傾斜して設けられた背面支持部と、該背面支持部の前方に立設された押圧部材用のホルダーと、該ホルダーに回動動作が可能なように支持されたゴルフボールとを具備して構成され、上記課題の解消を図った紙片スタンドである（図１〜図３参照）。  即ち、前記背面支持部の前方に対峙状に立設されたホルダーは、上部開口の二俣円弧状形態で弾力を備えて成形されて該開口部から使用者が好むゴルフボールとの交換が自在とされ、且つ、紙片の着脱に伴ってボールが双方向に回動される構成であり、付加価値や遊具的価値が高められ、所謂、ゴルフコンペ用等の商品等としても最適である。【選択図】    図３
2007210221.tif 000002
【特許請求の範囲】
【請求項１】
基板と、前記基板に対して後方傾斜して立設形成された紙片の背面支持部と、前記背面支持部の前方に対峙状に立設された押圧部材用ホルダーと、前記ホルダーに挿脱自在に支持されたボールとを備えて構成される。
前記背面支持部が前記ホルダーに支持されたボールで押圧されることにより、前記背面支持部と前記ボール間に紙片の押圧挟持部が形成され、
前記押圧挟持部に挿入された紙片が前記ボールで押圧されて前記背面支持部に対して横方向に湾曲され、且つ、後方傾斜して起立保持されるようにしたことを特徴とする紙片スタンド。
【請求項２】
基板と、前記基板に対して正面向きで湾曲面が形成されるとともに後方傾斜して立設された背面支持部と、前記背面支持部の前方に対峙状に立設された押圧部材用ホルダーと、前記ホルダーに挿脱自在に、且つ、回動動作が可能なように支持されたボールとを備えて構成される。
即ち、前記ボールの直径をｄ、前記ボールの正面投影図におけるボール中心を通る水平線をＸ−Ｘ、同垂直線をＹ−Ｙとして〔図２（ｃ）参照〕、
前記Ｘ−Ｘ線から前記ボールの下側に略ｄ／５離間した前記Ｘ−Ｘ線との並行線をＸａ−Ｘａ線とし、且つ、前記Ｙ−Ｙ線から両側に略ｄ／５離間した前記Ｙ−Ｙ線と並行する２本の平行線をＹａ−Ｙａ線、Ｙｂ−Ｙｂ線とした時、
前記Ｘａ−Ｘａ線より下側で、且つ、前記２本のＹａ−Ｙａ線、Ｙｂ−Ｙｂ線から夫々の外側のボールの対応前周部を滑動部として前記ホルダーで回動支持される２ヶ所と〔図２（ｃ）の４ａ、４ｂ参照〕、
前記ホルダーに支持された前記ボールが、背面支持部の湾曲面を自重で押圧する押圧挟持部と、により〔図２（ｂ）の６参照〕、
実質上、前記３ヶ所で前記ボールが回動支持されて構成され、前記押圧挟持部への紙片の起立着脱に伴って前記ボールが双方向に回動されるように構成されたことを特徴とする紙片スタンド。
【請求項３】
前記背面支持部と対峙状に立設された押圧部材用のホルダーは、上部開口の二股円弧状形態により弾力を備えて成形加工されるとともに、
前記ボールにゴルフボールが用いられ、
前記ホルダーの前記開口部から前記ゴルフボールが挿脱交換を行い得るようにされたことを特徴とする請求項１乃至請求項２のいずれか一つに記載の紙片スタンド。
【請求項４】
前記押圧部材用のホルダーは、前記基板に対して弾発的に立設構成され、
前記ホルダーに保持されたボールで前記押圧挟持部が弾発的に押圧されるように形成されたことを特徴とする請求項１乃至請求項３のいずれか一つに記載の紙片スタンド。
【発明の詳細な説明】
【技術分野】
【０００１】
本発明は、メモ紙等の紙片、シート、レシピ、予定表、写真、原稿等の資料類（以下、それらを総称して紙片と称して説明する）をワンタッチ着脱式で起立保持させるための紙片スタンドに関するものである。
【背景技術】
【０００２】
薄手の紙片等の資料類をワンタッチ着脱で起立保持可能な紙片スタンドがあれば、狭い机上の整理や事務作業の効率上も大いに便利であり、従来、前記要望を満たすための紙片起立具として多くの提案がなされている。
本発明は、紙片の押圧部材にボール（球体）を用ることと関連して、特に、紙片スタンドにおける押圧部材用ボールの挿脱交換を可能にした構成である。従来、ボールを押圧部材に用いた紙片起立具の公知技術としては、例えば、起立具の筐体本体にボール（球体）を格納して該自重を利用して紙片Ｐを起立保持するようにした構成技術が、特許文献１に開示されている。
また、起立具内部にコイルばねで支持されたボールを設け、該ボールで紙片を弾発的に押圧挟持するようにした公知技術が、例えば、特許文献２に示されている。
【特許文献１】特許第３１８９１１９号公報
【特許文献２】特開２００２−２１６３号公報
【発明の開示】
【発明が解決しようとする課題】
【０００３】
単独では、起立困難な紙片を湾曲状に押圧保持して紙片の剛性を高め、後方傾斜（仰角）で起立させることで、小型の紙片起立具によりＡ４サイズ等大きな多数枚の紙片を起立保持させ得る技術は従来から知られている。
従って、上記原理を利用した薄紙片の起立具は古くから多く提案されているが、ここでは、特に、本特許願の構成内容と係りのあるボール（球体）を用いて紙片の押圧部材とした紙片起立具に関して、前記特許文献における公知技術の図面を図８、図９に示し、該引用図面を参照しつつ従来開示技術の紙片起立具について先ず説明する。
【０００４】
図８は、前記特許文献１の特許第３１８９１１９号公報から引用した斜視図である。この開示技術の起立具５０では、図示のように一体成形した起立具本体５１に湾曲した受部５２と反返り部５４を形成し、該受部５２と反返り部５４の湾曲面５５間の内部に、前後、左右方向に遊動自在にボール５を格納し、ボールの自重を利用して紙片を押圧保持する紙片起立具である。
この起立具５０は、起立具本体５１が合成樹脂で一体成形加工されて、押圧部材としてビー玉（直径：φ２５）を図８のように格納した態様により製品化されている。
【０００５】
一方、図９は前記特許文献２の特開２００２−２１６３号公報から引用した起立具６０に関し、一部を破断して示した図である。
上記開示技術では、図示のようにホルダー本体６１に開口部６２、案内保持面６３、案内面６４が形成され、コイルスプリング６５に支持されたボール５をホルダー内部に立設して、紙片Ｐを図示のように案内保持面６３に弾発的に押圧挟持して起立保持するようにした紙片起立具である。しかし、本紙片起立具はホルダーの内部構造が複雑である。
その他、クリップ内に配設したボールを転動させて紙片を押圧保持するようにしたクリップの公知技術が実開昭４９−６５３１２号公報等に開示されている。
【０００６】
前記公知技術の紙片起立具やクリップにおける押圧部材用ボールは、何れも製造工程中で起立具本体や筐体内部に、予め格納、又は、支持して組立てることを前提としており、前記開示技術に基づく紙片起立具やクリップは、必然的に工程が複雑化して生産コストも高くなる。
また、ゴルフボールのような大径ボールを露出状に支持したり、ボールの挿脱交換に対応した構成ではない。
【０００７】
そこで、本発明の紙片スタンドが主たる目的とするところは下記の通りである。
１）紙片スタンド本体の製造後に、紙片の押圧部材であるボールをホルダーに、所謂、後挿着で露出状に支持し得る構成として生産性を高めること。
２）特に、ゴルフボールを押圧部材に用い、使用者が好むオリジナルボールとのボール交換を自在に行える構成とし、商品の付加価値を高めること（ゴルフコンペ用品等）。
３）上記２項と関連し、ゴルフボール等の回動動作が可能なようにボールをホルダーで滑動支持し、紙片の起立着脱に伴ってボールが双方向に回動される構成として操作性の改善とともに遊具的価値を高め、意匠的にもユニークな紙片スタンドを提供することを狙いとする。
【課題を解決するための手段】
【０００８】
前記課題を解決するために、本発明に係る紙片スタンドは次のように構成される。
第１発明の紙片スタンドは、
基板と、前記基板に対して後方傾斜して立設形成された紙片の背面支持部と、前記背面支持部の前方に対峙状に立設された押圧部材用ホルダーと、前記ホルダーに挿脱自在に支持されたボールとを備えて構成される。
前記背面支持部が前記ホルダーに支持されたボールで押圧されることにより、前記背面支持部と前記ボール間に紙片の押圧挟持部が形成され、
前記押圧挟持部に挿入された紙片が前記ボールで押圧されて前記背面支持部に対して横方向に湾曲され、且つ、後方傾斜して起立保持されるようにした紙片スタンドである。
【０００９】
第２発明の紙片スタンドは、
基板と、前記基板に対して正面向きで湾曲面が形成されるとともに後方傾斜して立設された背面支持部と、前記背面支持部の前方に対峙状に立設された押圧部材用ホルダーと、前記ホルダーに挿脱自在に、且つ、回動動作が可能なように支持されたボールとを備えて構成される。
即ち、前記ボールの直径をｄ、前記ボールの正面投影図におけるボール中心を通る水平線をＸ−Ｘ、同垂直線をＹ−Ｙとして〔図２（ｃ）参照〕、
前記Ｘ−Ｘ線から前記ボールの下側に略ｄ／５離間した前記Ｘ−Ｘ線との並行線をＸａ−Ｘａ線とし、且つ、前記Ｙ−Ｙ線から両側に略ｄ／５離間した前記Ｙ−Ｙ線と並行する２本の平行線をＹａ−Ｙａ線、Ｙｂ−Ｙｂ線とした時、
前記Ｘａ−Ｘａ線より下側で、且つ、前記２本のＹａ−Ｙａ線、Ｙｂ−Ｙｂ線から夫々の外側のボールの対応前周部を滑動部として前記ホルダーで回動支持される２ヶ所と〔図２（ｃ）の４ａ、４ｂ参照〕、
前記ホルダーに支持された前記ボールが、背面支持部の湾曲面を自重で押圧する押圧挟持部と、により〔図２（ｂ）の６参照〕、
実質上、前記３ヶ所で前記ボールが回動支持されて構成され、前記押圧挟持部への紙片の起立着脱に伴って前記ボールが双方向に回動されるように構成された紙片スタンドである。
【００１０】
第３発明の紙片スタンドは、前記第１乃至第２発明の紙片スタンドにおいて、
前記背面支持部と対峙状に立設された押圧部材用のホルダーは、上部開口の二股円弧状形態により弾力を備えて成形加工されるとともに、
前記ボールにゴルフボールが用いられ、
前記ホルダーの前記開口部から前記ゴルフボールが挿脱交換を行い得るようにされた紙片スタンドである。
【００１１】
第４発明の紙片スタンドは、前記第１乃至第３発明の紙片スタンドにおいて、
前記押圧部材用のホルダーは、前記基板に対して弾発的に立設構成され、前記ホルダーに保持されたボールで前記押圧挟持部が弾発的に押圧されるように形成された紙片スタンドである。
【発明の効果】
【００１２】
本発明は、薄くて折れ曲り易く、それ自体では起立態様が困難なメモ紙、カレンダー、レシピ、予定表、写真、原稿、各種資料類等の紙片を彎曲状に後方傾斜させてワンタッチ着脱式に、起立保持させるのに好適な紙片スタンドの実現を図ることを狙いとする。
特に、本発明では紙片スタンドに用いる押圧部材用のボールを本体の完成後に、後挿着することを可能とした紙片スタンドの構成を特徴とする。即ち、前記したように従来の公知技術では本体の製造時にボールを格納加工する必要があった工程に鑑みて、本発明の第１の目的は、ボールを後挿着式に改善することで生産性の向上を図ることである。
【００１３】
更に、前記構成の特徴と関連した具体的実施態様としては、ゴルフボール（以下の説明では、ボールのことをゴルフボール、又は、ビー玉と称して説明することもある）を略露出形態で支持し、使用者が好むオリジナルボールとの交換を自在に行える構成として高付加価値商品の実現を図ることである。
以下、各実施例の構成上の特徴や効果について記載する。
【００１４】
本発明に係る第１実施例の紙片スタンドによれば、基板上に正面向きに湾曲面が形成されて後方傾斜で立設された背面支持部と、背面支持部の湾曲面の前方に対峙立設された押圧部材用のホルダーと、該ホルダーに紙片の摩擦力で回動動作が可能なように支持されたゴルフボールとを具備して構成された紙片スタンドである。
上記実施形態におけるホルダーは、図１のように上部開口の二股円弧状形態により弾力を備えて最適な合成樹脂で成形加工され、開口部からボールの挿脱交換が自在に行い得る。そして、ホルダーに挿着されたゴルフボールは前周縁からホルダーに対して２ヶ所の滑動部（図２の４ａ、４ｂ参照）と、ボールで押圧される湾曲面の押圧挟持部６〔図２（ｂ）参照〕との３ケ所で滑動支持されるようにした構成である。
【００１５】
本実施形態では、前記のようにボールが最小の摺動摩擦抵抗によって前記３ヶ所で支持構成されたことでボールが自在に回動される。
即ち、押圧挟持部への紙片の着脱に伴ってボールが双方向に円滑回動されるようにした結果、紙片の着脱操作が軽いタッチによってスムーズに行われるとともに、紙片の着脱に伴って、ゴルフボール等が双方向に回動されるので遊具的価値も高められる。
【００１６】
上記第１実施例の製品としての効果
近年、量産されて安価になったゴルフボールは、大きさ、重さ的にも本発明の押圧部材として正に適材適所であり、紙片スタンド以外に所謂、書類等を押圧する文鎮兼用としても流用が図れる。
従って、ゴルフ愛好者にはネーム入りのオリジナルボールを挿着することで一層付加価値が高められ、露出状に立設して回動されるようにした構成は意匠的にもユニークで、所謂、ゴルフコンペ用や、各種イベント用等のグッズとしても最適な商品が期待できる。
【００１７】
本発明に係る第２実施例の紙片スタンドによれば、図４のようにホルダーが円環状に形成されて立設され、基板との接合部で前後方向に屈曲されるように形成された屈曲部を備えて背面支持部の前方に対峙状に立設構成される。本実施形態では、ホルダーを前方へ倒すように開口してボールの挿脱交換が行われる。
押圧部材としては、例えば、直径：φ２５〜３０のビー玉製のボールを用いることで最適な紙片スタンドの実現が図られる。本実施形態においても押圧部材としてのビー玉は本体１ａの製造後に挿着できるので、生産工程が従来の公知技術に比べて有利となる。
【００１８】
なお、前記第２実施例においても、ホルダーの２ヶ所の滑動部４ａ、４ｂでボールを前記第１実施例と同様に回動支持することで、紙片着脱時にボールを回動させる構成とし得る。一方、本実施形態としては円環状ホルダーでボールを挟持保持するように形成し、押圧挟持部を弾発力で押圧するように実施した場合は、紙片着脱時にボールは回動されないが、紙片スタンドとしての所期目的は良好に果せ得るのである（図４参照）。
【００１９】
本発明に係る第３実施例の紙片スタンド構成を図５に示す。この実施形態は背面支持部の前方に対峙状に立設された押圧部材用のホルダーは、例えば、φ２（直径：２ｍｍ）のステンレスワイヤで加工形成されている。ワイヤの両端部を基板の所定位置に設けた圧入穴に圧入して立設させ、ばね性ワイヤの弾力を利用して上部からボールの挿脱交換を行うように構成して前記実施例同様に目的が果せる。
【００２０】
本発明に係る第４実施例の紙片スタンド構成を図６に示す。この実施形態のホルダーは、図示のように左右両側に対向状に保持穴が設けられ、ボールを両側から挟み込む形態として上部が開口状とされて弾力を帯びる形態とされて、ジュラコン（ＰＯＭ）、ポリプロピレン（ｐ／ｐ）等の合成樹脂で加工され、開口上部からボールを挿脱し得るようにされている。
【００２１】
本発明に係る第５実施例の紙片スタンド構成を図７に示す。この実施形態は、図示のように背面支持部及びホルダーを含めて、例えば、一本の連続したステンレス線で加工形成した実施形態であり、前記実施例と同様に発明の目的が果せ得る。
【発明を実施するための最良の形態】
【００２２】
先ず、本発明に係る紙片スタンドの好ましい実施形態における構成上の特徴は、押圧部材であるボール５の挿脱交換を自在にしたことと、ボールが紙片の着脱に伴う摩擦力で双方向に回動されるようにホルダー４の２ヶ所と押圧挟持部を含む３ヶ所で、回動支持したことである。
なお、本明細書では構成内容を理解し易くするために同一構成や同一作用をする要素部分には同一符号、同一名称を図面に付して図面とともに説明する。
【実施例１】
【００２３】
本発明に係る第１実施例の紙片スタンドについて説明する。
本発明に係る紙片スタンドの構成要点は、本発明の実施形態を代表する第１実施例の説明によって充分理解されるようにするため、以下、図１〜図３に関しては極力詳述することにする。
図１は、第１実施例の各構成部品、本体、ゴルフボール（以下の説明では、ゴルフボールのことを単にボールと称して説明することもある）の挿脱態様及び組立後の斜視図を示し、図２は第１実施例組立後の正面図、側面図、各構成要部の寸法、ボールの滑動部及び横断面状況等を各々示し、図３は紙片スタンド１の使用態様及び縦横の断面状況を示している。
以下、図１〜図３の各図を同時に参照しつつ、第１実施例に関して順次説明する。
【００２４】
本発明に係る第１、第３実施例では押圧部材としてゴルフボールを用いた形態を示しており、最初に公認ゴルフボール規格の所要事項に関して参考記載する。
因みに、図１以下の各図面に外観を示すゴルフボール５は、直径：φ４２．６７ｍｍ（１．６８インチ）以上、重さ：４５.９３ｇ（１.６２オンス）以下等と、公認球としての規格が規定されている。そして、図３に内部断面構造例を示す構造には、ツーピース型の２層構造やスリーピース型の３層構造及び糸巻き構造等の種類がある。図３等に示す構造例は、表面カバー５ｃとセンター（芯）５ｅ間にミッド５ｄ（中間層）を設けたスリーピース型である。また、ボールの表面部にはディンプルと称する多数のくぼみが形成されている。
【００２５】
さて、図１（ａ）に示すように円形で形成された基板２は、端部に正面向きの湾曲面３ａを有して後方傾斜で立設された背面支持部３を備え、透明なアクリル合成樹脂等によって一体で成形加工されている。そして、基板上２には背面支持部３と所定寸法離間された圧入穴２ａと、背面支持部３の下端部には後述する傾斜端２ｂとが加工形成されている。
一方、本実施形態におけるボール支持用ホルダー４は、図１（ｂ）に示すように上部が開口された二股円弧状とされて開口部が弾力を備えるように加工形成されている。
即ち、本実施形態のホルダー４は、今、図１（ｃ）のボール５の直径をｄ、図１（ｂ）の円弧内径をφｄａ、該円弧高さをｈとした時、図１（ｂ）の二股円弧状部は、ｄ／２＜ｄａ＜ｄ、４ｄ／５≦ｈ＜ｄの寸法関係により、円弧状端部が４ｃ、４ｄの矢印方向に弾発的に開口されるように、潤滑性が優れている硬質のジュラコン（ＰＯＭ／ポリアセタール合成樹脂のことを以下の説明では、単にジュラコンと称して説明することもある）等により、圧入部４ｅを備えて図示のように加工されている。
【００２６】
そして、前記基板２に設けられた圧入穴２ａにホルダー４の圧入部４ｅが圧入立設されて図１（ｃ）のような本体１ａが組立される。図１（ｄ）は本体１ａのホルダー４の開口部からボール５を挿脱方向５ａに挿着する状況を示しており、図１（ｄ）のようにボール挿脱５ａ方向にボール５を押込むことでホルダー４が開口方向４ｃ、４ｄに開口され、ボール５が背面支持部３を自重で押圧するようにホルダー４と背面支持部３の湾曲面３ａ間に挟持保持される。
即ち、本実施形態におけるボールは、図２とともに後述する２ヶ所の滑動部４ａ、４ｂと、湾曲面３ａが押圧される押圧挟持部６〔図２（ｂ）参照〕との３ヶ所でボール５が挟持支持される。図１（e）はボール５が挿着されて完成された紙片スタンド１の外観斜視図である。
【００２７】
図２（ａ）は、第１実施例の正面図、図２（ｂ）は側面図、図２（ｃ）は図２（ａ）におけるボール５の正面投影図、図２（ｄ）は図２（ｂ）におけるＡ−Ａ線で切断した上断面図を各々示している。
因みに、図２（ａ）、図２（ｂ）に基づいて実施例の各構成要部の寸法を記載すると、ボール５のφｄ（直径）：略４３ｍｍ、基板２のφＤ：５０ｍｍ、紙片スタンド１の高さＨ：５５ｍｍ、背面支持部３の傾斜角θ：略１０°、ホルダー４の傾斜角α：１５°、図３（ｄ）に示す湾曲面３ａの半径Ｒ：４５ｍｍに設定して各部を形成し、好適な結果を得ている。
【００２８】
次に、ボール５をホルダー４で回動自在に滑動支持するための滑動部４a、４bにつて、図２（ａ）におけるボール正面からの投影図の図２（ｃ）に基づいて説明する。今、図２（ｃ）におけるボールの直径：φｄ、ボール中心５ｆを通る水平線をＸ−Ｘ、同垂直線をＹ−Ｙとした時、前記Ｘ−Ｘ線から前記ボールの下側に略ｄ／５離間した前記Ｘ−Ｘ線との並行線をＸａ−Ｘａとし、且つ、前記Ｙ−Ｙ線から両側に略ｄ／５離間した前記Ｙ−Ｙ線と並行する２本の平行線をＹａ−Ｙａ、Ｙｂ−Ｙｂとした時、ボール５の前周縁上の前記Ｘａ−Ｘａ線より下側で、且つ、前記２本のＹａ−Ｙａ線、Ｙｂ−Ｙｂ線から夫々の外側の領域、即ち、図２（ｃ）で塗つぶした略三角形状のボール周縁対応領域の前周部の２ヶ所をホルダー４で滑動部４ａ、４ｂとして回動支持する。
【００２９】
ゴルフボールは重く（略４６ｇ）、且つ、表面に形成されたディンプルによる摺動抵抗のために紙片の摩擦力のみで回動させることは困難である。
そこで、本出願人はボールを回動させる支持構成に関して多くの試作実験と試行錯誤を積み重ねた結果、前記図２（ｃ）の投影図に三角形状で図解して示したボール前周部の２ヶ所を滑動部４ａ、４ｂとしてホルダー４で支持し、且つ、ホルダー４を自己潤滑性に優れた硬質のジュラコン等により、前記ボール前周縁の２ヶ所の滑動部を回動支持した場合に、ボール５が最小の摩擦力で滑動支持されて回動させるのに最適ヶ所であることを実証確認し、所期目的を良好に果せ得たものである。
図２（ａ）の正面図や図２（ｂ）の側面図及び図２（ｄ）の断面図は、ホルダー４と背面支持部３に対するボール５の支持態様を示している。本実施形態におけるボール５は、前記図１（ｂ）に示したホルダー４の滑動部４ａ、４ｂの２ヶ所でボール５が前周部から滑動支持されるように加工形成されている。即ち、ボール５は図２の各図に示す態様によりボール５の自重で湾曲面３ａを押圧する押圧挟持部６の３ヶ所で支持される。
【００３０】
以上の説明から明らかなようにボール５は実質的に図２（ｄ）のような対応で、ホルダー４の滑動部４ａ、４ｂの２ヶ所と、湾曲面３ａの押圧挟持部６の３ヶ所で回動支持されることになり、前記押圧挟持部６への紙片の起立着脱に伴ってボール５が双方向に円滑に回動される。
ところで、本発明の紙片スタンド１は、図１（ｅ）、図２（ａ）、図２（ｂ）の完成態様において、挿着されたボール５は上下方向に図示のΔｄが２ｍｍ前後の遊びガタ５ｂを有すように加工されている。該遊びガタ５ｂを設ける事由は、図３（ａ）のような使用態様により多数枚の紙片Ｐを起立保持させることに対応させるためである。
即ち、本紙片スタンド１で多数枚の紙片Ｐや厚手の資料を起立保持した態様では、ボール５が遊びガタ５ｂ方向に押上げられるように対応され、ホルダー４内部での弾発支持との相乗効果によって、本発明の紙片スタンドには数１０枚のコピー紙片や、数ｍｍ厚さのカタログ資料等が起立可能なように設計されている。
【００３１】
第１実施例について、更に、説明を続ける。
図３は、紙片スタンド１の使用態様と該縦横の断面状況を示している。図３（ａ）は前記押圧挟持部６に紙片Ｐが起立保持された使用態様を示し、図３（ｂ）は前記図３（ａ）におけるＢ−Ｂ線上の縦断面図を示している。図３（ｃ）の各部の断面状況は前記説明からも充分明らかなものと思われる。
本発明における紙片スタンド１は、図３（ｂ）の断面図のように基板２と背面支持部３が、例えば、透明なアクリル合成樹脂により一体として各部が略均一な肉厚になるように成形加工される。一方、図１で前記したホルダー４はボール挿脱時の剛性弾力や回動時の潤滑性等を満足する最適な合成樹脂素材として、例えば、ジュラコンを用いて成形され、基板２に対してホルダー４を前記圧入部２ａ／４ｅで圧入立設した実施例である。
【００３２】
ところで、図１（ａ）以下の図面で基板２と背面支持部３の接合端に形成された傾斜端２ｂは、図３（ａ）、図３（ｂ）のように起立保持された紙片Ｐが後方傾斜で起立保持されたことに起因し、紙片の両端部が基板面から浮き上がってしまう現象を防止し、紙片Ｐの両端部が基板２に当接されて安定に起立保持されるように設けた傾斜溝である。
図３（ｃ）は、図３（ｂ）の縦断面図と関連して複数枚の紙片Ｐを起立保持した態様に伴い、ボール５が遊びガタ５ｂ方向へ移動される状況を示しており、一方、図３（ｄ）はボール５が前記滑動部４ａ、４ｂと押圧挟持部６の３ヶ所で支持されて紙片Ｐが押圧挟持部６で押圧された状況をＣ−Ｃ線上の水平断面として示した図である。
なお、以上に説明した第１実施例の構成において、ホルダー４は基板２や背面支持部３
を含めて、例えば、前記ジュラコン等で一体的に成形加工してもよい。
実施例２
【００３３】
次に、本発明に係る第２実施例の紙片スタンドについて図４の各図とともに説明する。
さて、前記第１実施例の詳細説明によって本発明の構成内容や発明要点は充分理解されたものと思われるので、図４以下に示す第２実施例以降の説明では重複説明を省略し、実施例の異なる要点部分に関してのみ極力簡潔に記述する。
図４の各図は第２実施例を示しおり、図４（ａ）は略円環状に形成されたホルダー４が背面支持部３に対峙状に立設された態様の本体１ａの斜視図、図４（ｂ）はボール５挿脱時にホルダー４が前方に押されて開口される態様を示した側面図、図４（ｃ）、図４（ｄ）は組立られた紙片スタンド１の斜視図と側面図を各々示している。
【００３４】
図４に示す第２実施例のホルダー４は、略円環状に形成された実施形態である。
この第２実施例におけるホルダー４は、少なくとも横内径をφｄａとし、ボール５の直径をφｄとした時、ｄ／２＜ｄａ＜ｄの寸法関係で図示のように略円環状に形成されている。本実施形態ではホルダー４が図４（ｂ）のように前後方向へ弾発的に屈曲されるように、基板２との接合部に屈曲部８を備えて加工され、ホルダー４を別体で形成して用いる場合は基板２との接合部が、例えば、加熱溶着８ａによって固着形成される。
なお、ホルダー４を本形態のように略円環状に形成し、ボール５（ビー玉等）を図４（ａ）の本体１ａに一度挿着した態様から使用者が交換する度合いが少ない場合は、ホルダー４素材は、例えば、ポリカーボネート（ＰＣ）やポリプロピレン（ＰＰ）等の合成樹脂を用いて成形してもよい。また、本実施形態における滑動部４ａ、４ｂや図４（ｄ）の側面図における遊びガタ５ｂ及び押圧挟持部６等に関しては前記第１実施例と同様であり説明を省略する。この実施態様は、ボール５にφ２５〜φ３０の所謂、ビー玉等を用いて構成する際の紙片スタンドとして好適である。
実施例３
【００３５】
図５の各図は、第３実施例に係る紙片スタンドを示す図である。
図５に示す第３実施例のホルダー４は、ステンレスワイヤ等で加工された実施形態である。図５（ａ）は、角型基板２の所定位置にワイヤで加工されたホルダー４が立設された本体１ａの斜視図である。例えば、φ２のステンレス線（ＳＵＳ：３０４）等を用いて図５（ｂ）に示す形態に治具加工によって所定の寸法形状でホルダー４に加工仕上げされ、該両端部４ｆ、４ｇを基板２の圧入穴２ｃ、２ｄに圧入立設してホルダー４とする実施形態である。
図５（ｄ）の側面図は、ボール５の抜脱状況を示しておりボール５をボール挿脱５ａ方向へ押し込むことで、ばね性のステンレスホルダー４が開口方向４ｅに開口されてボール５が挿着され、図５（ｃ）に示す紙片スタンド１に組立される。
従って、図５（ｅ）の側面図において押圧挟持部６に紙片Ｐを挿入した場合は、硬くて滑りの良いステンレス線で滑動部４ａ、４ｂが支持されたボール５は、矢印方向に円滑に回動７される。
第４実施例
【００３６】
図６の各図は、第４実施例に係る紙片スタンド１を示す図である。
図６に示す第４実施例のホルダー４は、両側からボール５を挟持保持するように加工された実施形態である。
先ず、紙片スタンド１の本体１ａは、図６（ａ）に図示するように基板２とともに背面支持部３、前脚２ａ、後脚２ｂ及び湾曲面３ａを備えて、一枚の薄板状に成形加工されている。本実施態様のホルダー４は図示のように１８０°対向して保持穴４ｈ、４ｋが形成され、両側からボール５を該保持穴４ｈ、４ｋで弾発的に挟持するように加工形成されて基板２に立設されている。
【００３７】
図６（ｂ）は、ボール５を挿脱方向５ａへ押込んだ状況を示しており、前記保持穴４ｈ、４ｋ部が開口４ｃ、４ｄ方向に開口されてボール５が挿着され、図６（ｃ）のような態様に組立られる。本実施例におけるホルダー４は前記第３実施例と同様に基板２との接合部に屈曲部８を設けてもよく、ホルダー４に屈曲部８を備えて立設構成した場合は、図６（ｄ）に示す側面図のようにホルダーに支持されたボール５の弾発力９で湾曲面３ａの押圧挟持部６を押圧することになる。
また、この第４実施例におけるホルダー４の保持穴４ｈ、４ｋを図６（ｅ）の側面図に図示するように、ボール５が押圧挟持部６を押圧する方向に傾斜した楕円形保持穴４ｎを設けて遊びガタ５ｂが矢印方向に作用するように形成し、ホルダー４の脚部４ｍを基板２に固着するようにしてもよい。
第５実施例
【００３８】
図７の各図は、本発明の第５実施例に係る紙片スタンド１を示す図である。
図７に示す第５実施例のホルダー４は、背面支持部３を含めて一本のワイヤでフレーム体１０が加工された実施形態である。
この第５実施例では、図７（ａ）〜図７（ｃ）に示すように背面支持部３とホルダー４とを含めて一本のワイヤでフレーム体１０が加工され、図６（ａ）のように基板２に圧入立設されて本体１ａが構成される。即ち、本実施形態では図７（ａ）に示すワイヤ加工のフレーム体１０が、例えば、φ２ｍｍのステンレス線で各部が組立治具を用いて所定寸法に曲げ加工され、交差部が薄金属板のバンド３ｂで圧着されて両端部が基板２に圧入部２ａ／４ｇ（２ｃ／４ｆ…図５参照）で圧入されて本体１ａが構成される。組立られた紙片スタンド１の使用態様を図７（ｄ）に示す。
【００３９】
本第５実施例のおけるボール５は、図７（ｂ）に示すようにミニチュア型の野球ボールを用いた例であり、図７（ｂ）のように横挿脱方向５ａからボール５を押込むことでホルダー４の保持部が開口されてボール５が挿着される。図６（ｃ）は側面図を示している。
なお、この第５実施例のように一本のワイヤで背面支持部３及びホルダー４を含めて、フレーク体１０を加工して基板２に立設し、図７（ｂ）、図７（ｃ）のように構成した紙片スタンド１においても背面支持部３とボール５間、即ち、図７（ｃ）の押圧挟持部６への紙片Ｐの着脱に伴ってボール５が矢印方向に回動７されることは以上の実施例の説明からも明らかなものと思われる。
そして、紙片スタンド１に挿入された紙片Ｐは図７（ｄ）に示すようにボール５がワイヤフレーム体１０を押圧する押圧挟持部６で、彎曲状に押圧挟持されるようにワイヤフレーム体が形成されており、背面支持部３で１０°程度に後方傾斜されて安定に起立保持される。
【図面の簡単な説明】
【００４０】
【図１】本発明第１実施例に係る紙片スタンドの各構成部品の斜視図及び組立状況等を示す図である。
【図２】本発明第１実施例に係る紙片スタンドの正面図、側面図と寸法、ボール支持対応及び切断面図を示す図である。
【図３】本発明第１実施例に係る紙片スタンドの使用態様及び縦横の断面状況を示す図である。
【図４】本発明第２実施例に係る紙片スタンドの斜視図及び側面図である。
【図５】本発明第３実施例に係る紙片スタンドの構成部品、斜視図及び側面図である。
【図６】本発明第４実施例に係る紙片スタンドの斜視図及び側面図である。
【図７】本発明第５実施例に係る紙片スタンドの斜視図、側面図及び使用態様を示す図である。
【図８】特許文献１の特許第３１８９１１９号公報から引用した公知技術である。
【図９】特許文献２の特開２００２−２１６３号公報から引用した公知技術である。
【符号の説明】
【００４１】
１      紙片スタンド
２      基板
３      背面支持部
３ａ    湾曲面
４      ホルダー
４ａ、４ｂ  滑動部（摺動部）
５      ボール
６      押圧挟持部
７      回動
８      屈曲部
９      弾発力
【図１】
2007210221.tif 000003
【図２】
2007210221.tif 000004
【図３】
2007210221.tif 000005
【図４】
2007210221.tif 000006
【図５】
2007210221.tif 000007
【図６】
2007210221.tif 000008
【図７】
2007210221.tif 000009
【図８】
2007210221.tif 000010
【図９】
2007210221.tif 000011